(57)【要約】【課題】  包装状態では最良の梱包効果を発揮し、蓋枠体を開いて取り除いたその後の状態では簡易消火具や家庭用消火器等を設置台上にあるのと等しい状態で設置したり，壁掛けホルダー内にあるのと等しい状態で壁に掛けたりすることに使用できるので、設置場所が明確になって従来のように見つけられないとかシュリンクフイルムを剥がすのに手間取るというようなことがなく、いざ火災が発生したときに即見つけられて迅速かつ容易に初期消火ができる簡易消火具等のブリスターパックを得る。【解決手段】  簡易消火具２の形状に合わせてプラスチックスを成形して得られるセル１を収容ベース側セル半体１Ａと蓋側セル半体１Ｂとに縦割りし、かつ収容ベース側セル半体１Ａの周囲を固めるベース枠体３を設置用台座や壁掛け用ホルダーとなるように構成すると共に蓋側セル半体１Ｂの周囲を固める蓋枠体４をベース枠体３から開いて取り除けるように構成してなる。【選択図】    図２
2006271743.tif 000002
【特許請求の範囲】
【請求項１】
簡易消火具等の形状に合わせてプラスチックスを成形して得られるセル（殻）を収容ベース側セル半体と蓋側セル半体とに縦割りし、かつ前記収容ベース側セル半体の周囲を固めるベース枠体を設置用台座や壁掛け用ホルダーとなるように構成すると共に前記蓋側セル半体の周囲を固める蓋枠体を前記ベース枠体から開いて取り除けるように構成したことを特徴とする簡易消火具等のブリスターパック。
【発明の詳細な説明】
【技術分野】
【０００１】
本発明は、簡易消火具や家庭用消火器等を包装するためのブリスターパックに関するものである。
【背景技術】
【０００２】
従来、簡易消火具や家庭用消火器の包装には、一般的にシュリンクフイルムにより包装するシュリンク包装と言われる手段が取られている。
【発明の開示】
【発明が解決しようとする課題】
【０００３】
解決しようとする問題は、従来のシュリンク包装される簡易消火具や家庭用消火器では、設置台等の入手が面倒，費用が掛かることもあってシュリンクフイルムを剥がさずにそのままの状態で放置（保管）されたりすることが度々行われるので、このような現実的な場合その設置場所が決まらずいざ火災が発生したときに見つけるのが大変であるし，さらにシュリンクフイルムを剥がすのに手間が掛かり、初期消火ができない恐れがあるという点である。
【課題を解決するための手段】
【０００４】
本発明は、簡易消火具等の形状に合わせてプラスチックスを成形して得られるセル（殻）を収容ベース側セル半体と蓋側セル半体とに縦割りし、かつ前記収容ベース側セル半体の周囲を固めるベース枠体を設置用台座や壁掛け用ホルダーとなるように構成すると共に前記蓋側セル半体の周囲を固める蓋枠体を前記ベース枠体から開いて取り除けるように構成したことを特徴とする。
【発明の効果】
【０００５】
本発明は、包装状態では最良の梱包効果を発揮し、蓋枠体を開いて取り除いたその後の状態では簡易消火具や家庭用消火器等を設置台上にあるのと等しい状態で設置したり，壁掛けホルダー内にあるのと等しい状態で壁に掛けたりすることに使用できるので、設置場所が明確になって従来のように見つけられないとかシュリンクフイルムを剥がすのに手間取るというようなことがなく、いざ火災が発生したときに即見つけられて迅速かつ容易に初期消火ができるという効果がある。
【発明を実施するための最良の形態】
【０００６】
簡易消火具等の形状に合わせてプラスチックスを成形して得られるセル（殻）を収容ベース側セル半体と蓋側セル半体とに縦割りし、かつ前記収容ベース側セル半体の周囲を固めるベース枠体を設置用台座や壁掛け用ホルダーとなるように構成すると共に前記蓋側セル半体の周囲を固める蓋枠体を前記ベース枠体から開いて取り除けるように構成することにより、実現した。
【実施例】
【０００７】
本発明の一実施例を図１〜図６を用いて説明する。図１は簡易消火具を包装した状態を示す正面図、図２は図１の側面図、図３は図２から蓋枠体を開いた状態を示す側面図、図４は図３から蓋枠体を取り除いた状態を示す正面図、図５は簡易消火具の設置台として使用する状態を示す側面図、図６は簡易消火具の壁掛けホルダーとして使用する状態を示す側面図である。
【０００８】
図において、１は簡易消火具２の形状に合わせてプラスチックスを成形して得られるセル（殻）で、収容ベース側セル半体１Ａと蓋側セル半体１Ｂとに縦割りして構成されている。３は収容ベース側セル半体１Ａの周囲を固めるベース枠体で、これを設置台として使用できるように台座部分３ａとこれを壁掛けホルダーとして使用できるように孔のある部分３ｂとを有している。４は蓋側セル半体１Ｂの周囲を固める蓋枠体で、下部の連接部５を基点に開くようになっている。６は蓋枠体４に設けた切り取り部（線）で、ここから蓋枠体４を下部の消火文字表示部４ａ（台紙を挟み込んである）を残して取り除けるようになっている。
【０００９】
簡易消火具２を包装した状態では、図１，図２に示すようにベース枠体３に蓋枠体４が合着されている（両者は厚紙なので接着されている）ので、簡易消火具２はセル１内に強固に収容されている。よって、流通時の簡易消火具２の梱包状態は完全で、簡易消火具２に傷が付いたり，誤放射されるということがない。
【００１０】
簡易消火具２を持ち帰っての台所等においては、蓋枠体４をベース枠体３からはがして図３に示すように開き、切り取り部６の部分で切り取り蓋枠体４を切り離す。残った消火文字表示部４ａをベース枠体３に戻す（合着）と、図４に示すように開放された状態になるので、簡易消火具２を取り出し可能な，いわゆる簡易消火具２の使用可能状態になる。
【００１１】
そして、この簡易消火具２の使用可能状態のまま台所の適宜場所に置くと、図５に示すように消火具設置台となる。この設置状態では、簡易消火具２はベース枠体３内にしっかりと設置されているし、しかも消火文字表示部４ａにより簡易消火具２の所在（「消火文字」の表示）も確認でき，すぐさま取り出して使用できる。
【００１２】
また、ベース枠体３の孔のある部分３ｂを利用して壁のフックに引っ掛けると、図６に示すように壁掛けホルダーとなる。この壁掛け状態でも、設置状態と同様に簡易消火具２はベース枠体３内にしっかりと設置されているし、しかも消火文字表示部４ａにより簡易消火具２の所在（「消火文字」の表示）も確認でき，すぐさま取り出して使用できる。
【００１３】
よって、わざわざ簡易消火具２の購入時に消火具の設置台や壁掛けホルダーを購入しなくても、これがすぐさま代用できるので、簡易消火具２はいつも目の付く場所にあるし、すぐさまの使用により初期消火ができるようになる。
【産業上の利用可能性】
【００１４】
本発明は、簡易消火具や家庭用消火器等を包装するためのブリスターパックに広く活用できる。
【図面の簡単な説明】
【００１５】
【図１】本発明の一実施例を示すもので，簡易消火具を包装した状態を示す正面図である。
【図２】図１の側面図である。
【図３】図２から蓋枠体を開いた状態を示す側面図である。
【図４】図３から蓋枠体を取り除いた状態を示す正面図である。
【図５】簡易消火具の設置台として使用する状態を示す側面図である。
【図６】簡易消火具の壁掛けホルダーとして使用する状態を示す側面図である。
【符号の説明】
【００１６】
１：セル
１Ａ：収容ベース側セル半体
１Ｂ：蓋側セル半体
２：簡易消火具
３：ベース枠体
３ａ：台座部分
３ｂ：孔のある部分
４：蓋枠体
４ａ：消火文字表示部
５：連接部
６：切り取り部
【図１】
2006271743.tif 000003
【図２】
2006271743.tif 000004
【図３】
2006271743.tif 000005
【図４】
2006271743.tif 000006
【図５】
2006271743.tif 000007
【図６】
2006271743.tif 000008